(57)【要約】【課題】本発明は、画像読取装置と蓋とが同時に開くことを確実に抑制できるとともに、原稿やシートにダメージを与えることを抑制できる画像形成装置を提供することを目的とする。【解決手段】本発明に係る画像形成装置の代表的な構成は、シートに画像を形成する画像形成装置本体１と、画像形成装置本体１に対して回動することで画像形成装置本体１に対し開閉可能に設けられており、原稿の画像を読み取る画像読取装置２と、画像読取装置２に対して回動することで画像読取装置２に対して開閉可能に設けられた蓋３と、を有する画像形成装置１０００において、画像形成装置１０００の内部の可触困難な位置に設けられており、蓋３のみを開くと画像読取装置２が開かないようにロックし、画像読取装置２のみを開くと、画像読取装置２が開かないようにロックするロック機構（穴１ａ、プーリ１８、従動プーリ１９、連結ベルト２０、ロック部材２１、凸部２２）を有することを特徴とする。【選択図】図４
2015204545.tif 000002
【特許請求の範囲】
【請求項１】
シートに画像を形成する画像形成装置本体と、
前記画像形成装置本体に対して回動することで前記画像形成装置本体に対し開閉可能に設けられており、原稿の画像を読み取る画像読取部と、
前記画像読取部に対して回動することで前記画像読取部に対して開閉可能に設けられた蓋と、
を有する画像形成装置において、
前記画像形成装置の内部の可触困難な位置に設けられており、前記蓋のみを開くと前記画像読取部が開かないようにロックし、前記画像読取部のみを開くと、前記画像読取部が開かないようにロックするロック機構を有することを特徴とする画像形成装置。
【請求項２】
前記ロック機構は、前記画像読取部の回動に連動して回動するロック部材を有し、
前記ロック部材は、前記蓋のみを開くと、前記画像読取部の回動軸に沿って移動して前記画像読取部の回動を規制する第１の回動規制位置に移動し、前記画像読取部のみを開くと前記蓋の回動を規制する第２の回動規制位置に回動することを特徴とする請求項１に記載の画像形成装置。
【請求項３】
シートに画像を形成する画像形成装置本体と、
前記画像形成装置本体に対して回動することで前記画像形成装置本体に対し開閉可能に設けられており、原稿の画像を読み取る画像読取部と、
前記画像読取部に対して回動することで前記画像読取部に対して開閉可能に設けられた蓋と、
を有する画像形成装置において、
前記蓋のみを開くと前記画像読取部が開かないようにロックし、前記画像読取部のみを開くと、前記画像読取部が開かないようにロックするロック機構を有し、
前記ロック機構は、前記画像読取部の回動に連動して回動するロック部材を有し、
前記ロック部材は、前記蓋のみを開くと、前記画像読取部の回動軸に沿って移動して前記画像読取部の回動を規制する第１の回動規制位置に移動し、前記画像読取部のみを開くと前記蓋の回動を規制する第２の回動規制位置に回動することを特徴とする画像形成装置。
【請求項４】
前記ロック部材は、前記第１の回動規制位置にあるときに回転を規制されることで前記画像読取部が開かないようにロックし、前記第２の回動規制位置にあるときに前記回動軸に沿った移動を規制されることで前記蓋が開かないようにロックすることを特徴とする請求項２又は３に記載の画像形成装置。
【請求項５】
前記ロック機構は、前記蓋の回動軸上を回動可能な第１のプーリと、前記画像読取部の回動軸上を回動可能な第２のプーリと、前記第１のプーリと前記第２のプーリとに張架されたベルトと、を有し、
前記蓋の回動に連動して、前記第１のプーリ、前記ベルト、前記第２のプーリを介して前記ロック部材が前記第１の回動規制位置に移動することを特徴とする請求項２乃至４のいずれか１項に記載の画像形成装置。
【請求項６】
前記蓋の回動軸と、前記画像読取部の回動軸は、同一であることを特徴とする請求項１乃至４のいずれか１項に記載の画像形成装置。
【請求項７】
前記ロック部材が前記第１の回動規制位置にあることを検出する検出手段と、
前記検出手段の検出信号に基づいて、前記画像形成装置本体の画像形成及び前記画像読取部の画像読取に必要な動作の一部を開始することを特徴とする請求項２乃至６のいずれか１項に記載の画像形成装置。
【発明の詳細な説明】
【技術分野】
【０００１】
本発明は、複写機、プリンタ、ファクシミリ等の画像形成装置に関する。
【背景技術】
【０００２】
従来の画像形成装置として、図１７（ａ）に示すように、画像形成装置本体１０１の上部に画像読取装置１０２を設け、画像読取装置１０２の上部に蓋１０３を設けたものがある。蓋１０３は、原稿を抑えるものであり、自動原稿送り装置が設けられている。蓋１０３は二点鎖線で示すように画像読取装置１０２に対して開く構成となっている。蓋１０３を開いた状態で原稿Ｄがセットされる。
【０００３】
図１７（ｂ）に示すように、画像読取装置１０２は画像形成装置本体１０１に対して開く構成となっている。画像読取装置１０２、カートリッジドア１１５を開いた状態で、プロセスカートリッジ１１０を矢印Ａ方向に引き出して交換する。
【０００４】
図１７（ｃ）に示すように、画像読取装置１０２と蓋１０３とが同時に開くと、画像読取装置１０２と蓋１０３の各々の重心が画像形成装置本体１０１の後方に移動し、画像形成装置が倒れやすくなってしまう。このため、画像読取装置１０２と蓋１０３とが同時に開くことを防止する技術が知られている（特許文献１）。
【０００５】
特許文献１では、特許文献１の図１、図６に示すように、第一のロック手段により、画像読取装置及び蓋が閉じた状態で蓋を開くと、画像読取装置が画像形成装置本体に対して開かないようにしている。特許文献１の図１０、図１２に示すように、第二のロック手段により、画像読取装置及び蓋が閉じた状態で画像読取装置を開くと、蓋が画像読取装置に対して開かないようにしている。
【先行技術文献】
【特許文献】
【０００６】
【特許文献１】特許４３８９７１３
【発明の概要】
【発明が解決しようとする課題】
【０００７】
しかしながら、特許文献１では、特許文献１の図７、図８に示すように、第一のロック手段の上端部が可触可能な構成である。よってユーザが第一のロック手段を誤って押してしまった場合は、蓋が開いた状態で画像読取装置が開いてしまう恐れがある。加えて第一のロック手段を付勢するために、蓋に突起形状が設けられているため、原稿を画像読取装置にセットする際に、原稿と突起形状が接触し、原稿に誤ってダメージを与えてしまう恐れもある。
【０００８】
また、特許文献１の図１２に示すように、第二のロック手段の下端部が可触可能な構成である。よってユーザが誤って第二のロック部材を押してしまった場合、画像読取装置が開いた状態で蓋が開いてしまう恐れがある。加えて第二のロック手段の下端部が画像読取装置下面から突出しているため、画像形成を行ったシートを取り出す際に、シートと第二のロック部材が接触し、シートに誤ってダメージを与えてしまう恐れもある。
【０００９】
そこで本発明は、画像読取装置と蓋とが同時に開くことを確実に抑制できるとともに、原稿やシートにダメージを与えることを抑制できる画像形成装置を提供することを目的とする。
【課題を解決するための手段】
【００１０】
上記課題を解決するために本発明に係る画像形成装置の代表的な構成は、シートに画像を形成する画像形成装置本体と、前記画像形成装置本体に対して回動することで前記画像形成装置本体に対し開閉可能に設けられており、原稿の画像を読み取る画像読取部と、前記画像読取部に対して回動することで前記画像読取部に対して開閉可能に設けられた蓋と、を有する画像形成装置において、前記画像形成装置の内部の可触困難な位置に設けられており、前記蓋のみを開くと前記画像読取部が開かないようにロックし、前記画像読取部のみを開くと、前記画像読取部が開かないようにロックするロック機構を有することを特徴とする。
【発明の効果】
【００１１】
本発明によれば、画像読取装置と蓋とが同時に開くことを確実に抑制できるとともに、原稿やシートにダメージを与えることを抑制できる。
【図面の簡単な説明】
【００１２】
【図１】第１実施形態に係る画像読取装置と蓋が閉じた状態における画像形成装置の構成図である。
【図２】第１実施形態に係る蓋のみが開いた状態における画像形成装置の構成図である。
【図３】第１実施形態に係る画像読取装置のみが開いた状態における画像形成装置の構成図である。
【図４】第１実施形態に係る画像読取装置と蓋が閉じた状態におけるロック機構の構成図である。
【図５】第１実施形態に係る蓋のみが開いた状態におけるロック機構の構成図である。
【図６】第１実施形態に係る画像読取装置のみが開いた状態におけるロック機構の構成図である。
【図７】第２実施形態に係る画像読取装置と蓋が閉じた状態における画像形成装置の構成図である。
【図８】第２実施形態に係る蓋のみが開いた状態における画像形成装置の構成図である。
【図９】第２実施形態に係る画像読取装置のみが開いた状態における画像形成装置の構成図である。
【図１０】第２実施形態に係る画像読取装置と蓋が閉じた状態の回動機構部の構成図である。
【図１１】第２実施形態に係る蓋のみが開いた状態の回動機構部の構成図である。
【図１２】第２実施形態に係る画像読取装置のみが開いた状態の回動機構部の構成図である。
【図１３】第３実施形態に係る画像読取装置と蓋が閉じた状態の回動機構部の構成図である。
【図１４】第３実施形態に係る蓋のみが開いた状態の回動機構部の構成図である。
【図１５】第３実施形態に係る画像読取装置と蓋が閉じた状態の回動機構部の構成図である。
【図１６】第３実施形態に係る蓋のみが開いた状態の回動機構部の構成図である。
【図１７】従来の画像形成装置の構成図である。
【発明を実施するための形態】
【００１３】
[第１実施形態]
本発明に係る画像形成装置の第１実施形態について、図を用いて説明する。図１は本実施形態に係る画像形成装置の構成図である。図１に示すように、本実施形態の画像形成装置１０００は、画像形成装置本体１、画像読取装置（画像読取部）２、蓋３を有している。
【００１４】
画像形成装置本体１は、プロセスカートリッジ１０を有している。プロセスカートリッジ１０は、カートリッジドア１５を開いて、画像形成装置本体１から引き出すことで、着脱可能となっている。プロセスカートリッジ１０において、感光ドラム１０ａは画像情報に応じて露光装置１１により露光され、静電潜像が形成される。静電潜像は、プロセスカートリッジ１０内のトナーを用いてトナー像として現像される。
【００１５】
一方、給送トレイ９に載置されたシートＰは、給送ローラ６、分離部材７、搬送ローラ８により、感光ドラム１０ａと転写ローラ１２とのニップ部へ搬送され、トナー像を転写される。トナー像を転写されたシートＰは、定着装置１３により加熱、加圧されてトナー像を定着され、排出ローラ１４によりカートリッジドア１５上に排出される。
【００１６】
図２に示すように蓋３を所定の位置まで開き、画像読取装置２の透明な原稿載置部４に原稿Ｄをセットする。次に、図１に示すように蓋３を閉めて、原稿Ｄを押さえる。そして画像形成装置１０００から読取命令が出力されると、画像読取装置２のスキャナ５で原稿Ｄの画像情報を読み取る。なお、複数の原稿Ｄを１枚毎に搬送する自動原稿送り装置を蓋３に設けて、複数の原稿を連続して読み取る構成としてもよい。
【００１７】
（蓋３と画像読取装置２の開閉機構）
図２に示すように、蓋３は、画像読取装置２上に配置され、画像読取装置２に設けられた回動軸１６を中心に回動可能（開閉可能）となっている。蓋３の後端が画像読取装置２に当接することにより、蓋３の開き位置が図２に示す位置に定まる。蓋３は、原稿載置部４に対して９０度以上開き、開いた状態で自立する。蓋３が９０度以上開くことにより、原稿Ｄを原稿載置部４にセットする際のセット性が向上する。
【００１８】
図３に示すように、画像読取装置２は、画像形成装置本体１上に配置され、画像形成装置本体１に設けられた回動軸１７を中心に回動可能（開閉可能）となっている。画像読取装置２の後端が画像形成装置本体１に当接することにより、画像読取装置２の開き位置が図３に示す位置に定まる。画像読取装置２はスキャナ５や原稿載置部４を有していて重いため、画像読取装置２の開き角度は、９０度以下でプロセスカートリッジ１０が交換可能な最小限の角度に設定されている。
【００１９】
図１、図４（ａ）、図４（ｂ）に示すように、蓋３には、回動軸１６上（回動軸上）を回動可能な第１のプーリ１８が設けられている。プーリ１８は、蓋３に一体に形成されている。画像読取装置２の内部には、回動軸１７上（回動軸上）を回動可能な従動プーリ（第２のプーリ）１９が設けられている。
【００２０】
プーリ１８と従動プーリ１９には連結ベルト２０が張架されている。蓋３の回動動作がプーリ１８にかけられた連結ベルト２０を通じて従動プーリ１９に伝わる。連結ベルト２０には不図示のガイド形状が設けられており、連結ベルト２０はプーリ１８と従動プーリ１９に対して位相ずれや、連結ベルト２０自体の撓みが抑えられた形状となっている。
【００２１】
従動プーリ１９の回動軸方向の側面に半螺旋状に突出したカム形状の凸部１９ａが設けられている。回動軸１７の端部にロック部材２１が設けられている。ロック部材２１は、回動軸方向に移動可能であり、付勢ばね２３により従動プーリ１９へ付勢（図４（ａ）の矢印Ｂ方向）されている。ロック部材２１の側面には、半螺旋状に凹んだカム形状の凹部２１ｃが設けられている。凸部１９ａと凹部２１ｃは雌雄の関係にある。
【００２２】
図４（ｂ）に示すように、画像読取装置２には、凸部２２が一体に設けられている。ロック部材２１の側面に、溝２１ａが形成されている。凸部２２と溝２１ａが係合することにより、ロック部材２１は画像読取装置２の開閉動作に連動して回動する。
【００２３】
（蓋３のみを開く動作）
蓋３のみを開く動作（図１から図２の状態への動作）について説明する。蓋３のみを開くとは、蓋３と画像読取装置２が閉じた状態で、蓋３を画像読取装置２に対して開くことをいう。
【００２４】
蓋３と画像読取装置２が共に閉じている状態（図１の状態）では、図４（ａ）、図４（ｂ）に示すように、ロック部材２１の側面に設けられた凸部２１ｂは画像形成装置本体１の穴１ａと同じ位相にある。そして、凸部１９ａと凹部２１ｃも同じ位相にあり、凸部１９ａがロック部材２１を付勢ばね２３の付勢力に抗して押していない。よって、ロック部材２１は付勢ばね２３により回動軸方向内側（図４（ａ）の矢印Ｂ方向）に付勢されており、凸部２１ｂと穴１ａは係合していない。
【００２５】
図５に示すように、蓋３のみを開けると、プーリ１８が蓋３と共に回動し、連結ベルト２０と従動プーリ１９が矢印Ｃ方向に回動する。従動プーリ１９が回動して凸部１９ａの位相が変化する。このとき、ロック部材２１は、溝２１ａが凸部２２と係合して回転を規制されている。このため、付勢ばね２３の付勢力に抗して凹部２１ｃが凸部１９ａの半螺旋形状に沿って押され、ロック部材２１が回動軸方向外側（矢印Ｄ方向）に移動して、凸部２１ｂが穴１ａに係合する（第１の回動規制位置）。
【００２６】
このように、蓋３が図２に示す所定の開き位置まで回動し、図５に示すように凸部２１ｂが穴１ａに係合する。これにより、ロック部材２１が画像形成装置本体１にロックされてロック部材２１の移動が規制され、図２に示す状態から蓋３を更に開こうとしても、蓋３を開くことはできない。また、このとき、ロック部材２１の溝２１ａと画像読取装置２の凸部２２が係合していることにより、画像読取装置２の回動方向が規制され、画像読取装置２も開くことはできない。
【００２７】
（画像読取装置２のみを開く動作）
画像読取装置２のみを開く動作（図１から図３の状態への動作）について説明する。画像読取装置２のみを開くとは、蓋３と画像読取装置２が閉じた状態で、画像読取装置２を画像形成装置本体１に対して開くことをいう。
【００２８】
蓋３と画像読取装置２が共に閉じている状態（図１の状態）では、図４（ａ）に示すように、ロック部材２１の凸部２１ｂは画像形成装置本体１の穴１ａに係合していない。
【００２９】
蓋３を閉じたまま、画像読取装置２を画像形成装置本体１に対して開くと、図３、図６（ａ）、図６（ｂ）に示すように、画像読取装置２は回動軸１７を中心に回動する。このとき、画像読取装置２の凸部２２が溝２１ａと係合しているため、ロック部材２１も画像読取装置２と共に回動軸１７を中心に回動する。
【００３０】
ロック部材２１が回動することにより、画像読取装置２のみを開いた状態（図３の状態）では、図６（ａ）、図６（ｂ）に示すように、ロック部材２１の凸部２１ｂの位置は、画像形成装置本体１の穴１ａに対して位相がずれた状態となる（第２の回動規制位置）。よって、凸部２１ｂが穴１ａに係合せず、凸部２１ｂが画像形成装置本体１に当接し、ロック部材２１が回動軸方向外側（図６（ａ）の矢印Ｅ方向）に移動することができない。このため、従動プーリ１９が回動できず、蓋３は開かない。
【００３１】
以上説明したように、本実施形態では、画像読取装置２と蓋３とが同時に開くことを防ぐロック機構（穴１ａ、プーリ１８、従動プーリ１９、連結ベルト２０、ロック部材２１、凸部２２）を画像形成装置１０００の内部に設けて可触困難な構成とした。ここで画像形成装置１０００の内部とは、少なくとも画像読取装置２又は蓋３が開いた状態において、画像読取装置２、蓋３、又は画像形成装置本体１の外装面に覆われる箇所である。本実施形態では、ロック機構を画像読取装置２と蓋３の内部に設け、画像読取装置２と蓋３の外部からアクセスできないようにしている。このため、画像読取装置２又は蓋３が開いた状態において、使用者が誤ってロック機構に触ってしまうことがなく、画像読取装置２と蓋３とが同時に開くことを確実に抑制できる。また、原稿やシートがロック機構に接触し、原稿やシートにダメージを与えることを抑制できる。
【００３２】
なお、本実施形態では、電子写真方式の画像形成装置について説明したが、本発明はこれに限定されるものではなく、インクジェット方式等の他の画像形成方式でも良い。
【００３３】
[第２実施形態]
次に本発明に係る画像形成装置の第２実施形態について図を用いて説明する。上記第１実施形態と説明の重複する部分については、同一の符号を付して説明を省略する。
【００３４】
図７は本実施形態に係る画像読取装置２と蓋３が閉じた状態における画像形成装置の構成図である。図８は本実施形態に係る蓋３のみが開いた状態における画像形成装置の構成図である。図９は本実施形態に係る画像読取装置２のみが開いた状態における画像形成装置の構成図である。図１１は蓋３のみが開いた状態の回動機構部の構成図である。図１２は画像読取装置２のみが開いた状態の回動機構部の構成図である。
【００３５】
図７〜図９に示すように、本実施形態の画像形成装置１０００は、蓋３と画像読取装置２の回動支点を同軸上に設け、上記第１実施形態のプーリ１８、従動プーリ１９、連結ベルト２０を省略したものである。
【００３６】
（蓋３と画像読取装置２の開閉機構）
図１０は画像読取装置２と蓋３が閉じた状態の回動機構部の構成図である。図１０（ａ）に示すように、蓋３と画像読取装置２の回動支点が同軸上（回動軸１７上）に設けられている。蓋３のヒンジ３ａは、画像読取装置２によって回動軸１７の軸方向に規制されている。画像読取装置２は、画像形成装置本体１により回動軸１７の軸方向に規制されている。
【００３７】
蓋３のヒンジ３ａの回動軸方向外側の側面には、半螺旋状に突出したカム形状の凸部３ｂが設けられている。凸部３ｂとロック部材２１の凹部２１ｃは雌雄の関係にある。
【００３８】
図１０（ｂ）に示すように画像読取装置２の凸部２２とロック部材２１の溝２１ａが係合することにより、ロック部材２１は画像読取装置２の開閉動作と共に回動する。
【００３９】
（蓋３のみを開く動作）
蓋３のみを開く動作（図７から図８の状態への動作）について説明する。図７の状態から図８の状態へ蓋３のみを開くと、図１１（ａ）、図１１（ｂ）に示すように、蓋３と共にヒンジ３ａ、凸部３ｂが回動する。このとき、ロック部材２１は、溝２１ａが凸部２２と係合して回転を規制されている。このため、付勢ばね２３の付勢力に抗して凹部２１ｃが凸部３ｂの半螺旋形状に沿って押され、ロック部材２１が回動軸方向外側（矢印Ｄ方向）に移動し、凸部２１ｂが穴１ａに係合する。
【００４０】
このように、蓋３が図８に示す所定の開き位置まで回動し、図１１（ａ）、図１１（ｂ）に示すように凸部２１ｂが穴１ａに係合し、ロック部材２１が画像形成装置本体１に当接して、ロック部材２１の回動軸方向外側（矢印Ｄ方向）への移動が規制される。これにより、ロック部材２１が画像形成装置本体１にロックされてロック部材２１の移動が規制され、図８に示す状態から蓋３を更に開こうとしても、蓋３を開くことはできない。また、このとき、ロック部材２１の溝２１ａと画像読取装置２の凸部２２が係合していることにより、画像読取装置２の回動方向が規制され、画像読取装置２も開くことはできない。
【００４１】
（画像読取装置２のみを開く動作）
画像読取装置２のみを開く動作（図７から図９の状態への動作）について説明する。蓋３と画像読取装置２が共に閉じている状態（図７の状態）では、図１０（ａ）に示すように、ロック部材２１の凸部２１ｂは画像形成装置本体１の穴１ａに係合していない。
【００４２】
蓋３を閉じたまま、画像読取装置２を画像形成装置本体１に対して開くと、図９、図１２（ａ）、図１２（ｂ）に示すように、画像読取装置２は回動軸１７を中心に回動する。このとき、画像読取装置２の凸部２２が溝２１ａと係合しているため、ロック部材２１も画像読取装置２と共に回動軸１７を中心に回動する。
【００４３】
ロック部材２１が回動することにより、画像読取装置２のみを開いた状態（図９の状態）では、図１２（ａ）、図１２（ｂ）に示すように、ロック部材２１の凸部２１ｂの位置は、画像形成装置本体１の穴１ａに対して位相がずれた状態となる。よって、凸部２１ｂが穴１ａに係合せず、凸部２１ｂが画像形成装置本体１に当接し、ロック部材２１が回動軸方向外側に移動することができない。このため、回動軸１７が回動できず、蓋３は開かない。
【００４４】
以上説明したように、本実施形態では、画像読取装置２と蓋３とが同時に開くことを防ぐロック機構（穴１ａ、ヒンジ３ａ、凸部３ｂ、ロック部材２１、凸部２２）を画像形成装置の内部に設けて可触困難な構成とした。このため、画像読取装置２又は蓋３が開いた状態において、誤ってロック機構に触ってしまうことがなく、画像読取装置２と蓋３とが同時に開くことを確実に抑制できる。また、原稿やシートがロック機構に接触し、原稿やシートにダメージを与えることを抑制できる。
【００４５】
また、上記第１実施形態のような連結ベルトを用いた構成ではなく、蓋、画像読取装置、ロック部材をすべて回動軸１７上に回動可能に設けた。これにより、構成が簡略化された信頼性の高い画像形成装置を提供できる。
【００４６】
[第３実施形態]
次に本発明に係る画像形成装置の第３実施形態について図を用いて説明する。上記第１実施形態と説明の重複する部分については、同一の符号を付して説明を省略する。
【００４７】
図１３は本実施形態に係る画像読取装置と蓋が閉じた状態の回動機構部の構成図である。図１４は本実施形態に係る蓋のみが開いた状態の回動機構部の構成図である。図１５は本実施形態に係る画像読取装置と蓋が閉じた状態の回動機構部の構成図である。図１６は本実施形態に係る蓋のみが開いた状態の回動機構部の構成図である。
【００４８】
本実施形態の画像形成装置１０００は、第２実施形態の画像形成装置１０００の複写開始速度を速くしたものである。図１５（ａ）に示すように、本実施形態は、上記第２実施形態の画像形成装置本体１の穴１ａに、検出手段２５を設けている。検出手段２５は、ロック部材２１の凸部２１ｂを検出する。
【００４９】
画像読取装置２が閉じた状態から蓋３を開けると、図１５（ａ）、図１５（ｂ）の状態から図１６の状態になり、第２実施形態と同様に凸部２１ｂが穴１ａに係合する。この時、検出手段２５が、凸部２１ｂを検出し、検出信号を制御部１００へ送る。検出信号を受信した制御部１００は、前記画像形成装置本体の画像形成及び前記画像読取部の画像読取に必要な動作の一部を開始し、定着装置１３、露光装置１１、スキャナ５をスタンバイ状態にする。すなわち、ユーザが原稿複写の指示を画像形成装置に行った際に、直ぐに複写動作ができる状態にする。これにより、複写速度を早くすることができる。
【００５０】
なお、上記第２実施形態と同様に、画像読取装置２が開いた状態で蓋３を開こうとしても、蓋３は開かない。このため、ロック部材２１の凸部２１ｂは画像形成装置本体１の穴１ａに収まらないため、スタンバイ状態に移行しない。また、検出手段２５は画像形成装置本体１の内部に設けられているため、ユーザは検出手段２５を触ることはできず、誤ってスタンバイ状態に移行することはない。なお、本実施形態は上記第２実施形態に検出手段２５を設けた形態であるが、上記第１実施形態の形態に検出手段２５を設けてもよい。
【符号の説明】
【００５１】
１    …画像形成装置本体
１ａ  …穴
２    …画像読取装置（画像読取部）
３    …蓋
３ａ  …ヒンジ
３ｂ  …凸部
４    …原稿載置部
５    …スキャナ
１６、１７  …回動軸
１８  …プーリ（第１のプーリ）
１９  …従動プーリ（第２のプーリ）
１９ａ …凸部
２０  …連結ベルト
２１  …ロック部材
２１ａ …溝
２１ｂ …凸部
２１ｃ …凹部
２２  …凸部
２３  …付勢ばね
２５  …検出手段
１００ …制御部
１０００ …画像形成装置
【図１】
2015204545.tif 000003
【図２】
2015204545.tif 000004
【図３】
2015204545.tif 000005
【図４】
2015204545.tif 000006
【図５】
2015204545.tif 000007
【図６】
2015204545.tif 000008
【図７】
2015204545.tif 000009
【図８】
2015204545.tif 000010
【図９】
2015204545.tif 000011
【図１０】
2015204545.tif 000012
【図１１】
2015204545.tif 000013
【図１２】
2015204545.tif 000014
【図１３】
2015204545.tif 000015
【図１４】
2015204545.tif 000016
【図１５】
2015204545.tif 000017
【図１６】
2015204545.tif 000018
【図１７】
2015204545.tif 000019